(57)【要約】【課題】マイナスイオンを充分供給し、同時にマイナスイオンを発生する電極を外力から保護し、さらに水滴が上方から落下しても電極を濡らすことが無いようにすることを目的とする。【解決手段】本体１の内部に、室内の空気を吸込口６から取り入れ吹出口７へ送風する送風装置２と、後記気化フィルター１０に水を供給する水槽部１１と、この水槽部１１の水を供給する給水用水タンク１２とを備え、送風装置２から吹出口７に至る風路９内に、吸水性を有する気化フィルター１０と、マイナスイオンを発生する電極１６と、この電極１６を収納する電極ケース１３とを備えた加湿器において、前記電極ケース１３は、下面と電極１６の先端に対向した前面とに開口部１３ｅ、１３ｃ、１３ｄを設け、前面の開口部１３ｃ、１３ｄの上部をこの開口部１３ｃ、１３ｄより前方に張り出した庇状とし、且つ前面の開口部１３ｃ、１３ｄ側が水平より下方に傾斜して装着される。【選択図】  図２
2004156856.tif 000002
【特許請求の範囲】
【請求項１】
本体（１）の上面または側面等に、室内の空気を取り入れる吸込口（６）と、加湿した空気を室内へ送る吹出口（７）とを備え、本体（１）の内部に、室内の空気を吸込口（６）から取り入れ吹出口（７）へ送風する送風装置（２）と、後記気化フィルター（１０）に水を供給する水槽部（１１）と、この水槽部（１１）の水を供給する給水用水タンク（１２）とを備え、送風装置（２）から吹出口（７）に至る風路（９）内に、吸水性を有する気化フィルター（１０）と、マイナスイオンを発生する電極（１６）と、この電極（１６）を収納する電極ケース（１３）とを備えた加湿器において、
前記電極ケース（１３）は、下面と電極（１６）の先端に対向した前面とに開口部（１３ｅ）、（１３ｃ）、（１３ｄ）を設け、前面の開口部（１３ｃ）、（１３ｄ）の上部をこの開口部（１３ｃ）、（１３ｄ）より前方に張り出した庇状とし、且つ前面の開口部（１３ｃ）、（１３ｄ）側が水平より下方に傾斜して装着されることを特徴とする加湿器。
【請求項２】
前記電極ケース（１３）の材質は帯電しにくいプラス電荷の高い樹脂材料としたことを特徴とする請求項１記載の加湿器。
【発明の詳細な説明】
【０００１】
【発明の属する技術分野】
本発明は、マイナスイオンの発生機能を備えた加湿器の構造に関するものである。
【０００２】
【従来の技術】
従来のマイナスイオンの発生機能を備えた加湿器を図面に従って説明する。図４は従来の加湿器の正面から見た内部構造図、図５は従来の加湿器の電極ケースの図である。尚、図４における矢印は空気の流れを示す。
【０００３】
図４において、本体１の側面に室内の空気を取り入れる吸込口６と、本体１の上面に加湿した空気を室内へ送る吹出口７とを備えている。本体１の内部に、室内の空気を吸込口６から取り入れ吹出口７へ送風する送風装置２と、後記気化フィルター１０に水を供給する水槽部１１と、この水槽部１１の水を供給する給水用水タンク１２とを備えている。
【０００４】
送風装置２はモーター３、ファン４、ケーシング５により構成されている。給水用水タンク１２は、本体１から着脱可能であり、水槽部１１の水を一定水量に保持し、押圧によって開放する弁体を備えている。
【０００５】
送風装置２から吹出口７に至る風路９内に、吸水性を有する気化フィルター１０を備え、送風装置２から吹出口７に至る風路９内で吹出口７の近傍に、マイナスイオンを発生する電極１６と、この電極１６を収納する電極ケース１３とを備えている。電極ケース１３は、図５に示すように、前面に略中央部で交差する上下および左右方向のスリット状の開口部１３ｃが設けられ。上面、下面、および二つの側面に、前面に設けられた開口部１３ｃに連結するスリット状の開口部１３ｆが設けられている。電極１６は、その先端が電極ケース１３の前面に対向して電極ケース１３内に組み込まれている。
【０００６】
送風装置２から気化フィルター１０の間の風路９内に、ヒーター８が設けられ、送風装置２から送風される空気を加熱する。
【０００７】
以上の構成において、全体の動作を説明する。
【０００８】
給水用水タンク１２を本体１から取り出して水を入れた後、本体１に収納する。すると、給水用水タンク１２は水槽部１１に設置され、給水用水タンク１２の弁体は押圧が掛かって開放され、給水用水タンク１２の水が水槽部１１に流れ出し、水槽部１１の水を一定水量とする。気化フィルター１０の一部が水槽部１１の水に漬かり、この水を吸い上げて湿潤する。
【０００９】
運転を開始すると、送風装置２は、そのモーター３が駆動されてファン４が回転し、室内の空気を吸込口６から取り入れ、ケーシング５に沿って送風する。ヒーター８も駆動され、送風装置２から送風される空気を加熱する。
【００１０】
ヒーター８により加熱された温風は、湿潤した気化フィルター１０部を通過し、気化フィルター１０内の水を気化させ、加湿された空気となり、吹出口７の方へ向かう。
【００１１】
一方、高電圧回路部１４で高電圧が発生され、高電圧端子１５を経由して電極１６に伝わり、電極１６からマイナスイオンが発生する。
【００１２】
吹出口７の方へ向った加湿された空気の一部は、直接吹出口７から室内に放出され、一部は電極ケース１３の下面または側面のスリット状の開口部１３ｆから電極ケース１３の内部に入り、電極１６から発生したマイナスイオンを伴い、前面の開口部１３ｃ、もしくは上面または側面の開口部１３ｆから出て、吹出口７へ向かう。そして、加湿された空気とマイナスイオンが吹出口７から室内に放出される。
【００１３】
このような従来例に類似した例として、例えば、空気清浄機などに組み込まれるマイナスイオン発生装置では特許文献１に示す例があり、マイナスイオン発生装置を備える空気調和機では特許文献２に示す例等がある。
【００１４】
【特許文献１】特開２００１−３３８７４４号公報
【特許文献２】特開２００１−７４２６３号公報。
【００１５】
【発明が解決しようとする課題】
前述したように、従来のマイナスイオンの発生機能を備えた加湿器においては、マイナスイオンを発生する電極１６はその先端が非常に微妙なので、曲がったりしないように電極ケース１３に収納して保護しているが、濡れてもマイナスイオンを発生しなくなってしまう。加湿器の場合には、水を取り扱う機器であり、例えば水の無くなった給水用水タンク１２に水を補給するために給水用水タンク１２を本体１から取り出した時、または水を補給して本体１に収納する時などに吹出口７部に水滴が落下して、この下方にある電極１６を濡らし、マイナスイオンが発生しなくなってしまう確率が高い。
【００１６】
また、乾燥した冬場等においては、樹脂材料で形成される電極ケース１３がプラスイオンに帯電し易くなる。電極ケース１３がプラスイオンに帯電すると、電極１６が発生したマイナスイオンを打ち消してしまい、加湿器のマイナスイオンの放出量が低下してしまうという課題があった。
【００１７】
本発明は、前記課題を解決するものであり、マイナスイオンを充分供給し、同時にマイナスイオンを発生する電極を外力から保護し、さらに水滴が上方から落下しても電極を濡らすことが無いようにすることを目的とする。
【００１８】
また、特に乾燥する時期においても、安定してマイナスイオンを放出することを目的とする。
【００１９】
【課題を解決するための手段】
本発明は、上述の課題を解決するために、本体の上面または側面等に、室内の空気を取り入れる吸込口と、加湿した空気を室内へ送る吹出口とを備え、本体の内部に、室内の空気を吸込口から取り入れ吹出口へ送風する送風装置と、後記気化フィルターに水を供給する水槽部と、この水槽部の水を供給する給水用水タンクとを備え、送風装置から吹出口に至る風路内に、吸水性を有する気化フィルターと、マイナスイオンを発生する電極と、この電極を収納する電極ケースとを備えた加湿器において、前記電極ケースは、下面と電極の先端に対向した前面とに開口部を設け、前面の開口部の上部をこの開口部より前方に張り出した庇状とし、且つ前面の開口部側が水平より下方に傾斜して装着されるものである。
【００２０】
【発明の実施の形態】
本発明は、前述のように、マイナスイオンを発生する電極と、この電極を収納する電極ケースとを備えた加湿器において、前記電極ケースは、下面と電極の先端に対向した前面とに開口部を設け、前面の開口部の上部をこの開口部より前方に張り出した庇状とし、且つ前面の開口部側が水平より下方に傾斜して装着されるものである。
【００２１】
これによって、マイナスイオンを充分供給し、同時にマイナスイオンを発生する電極を外力から保護し、さらに水滴が上方から落下しても電極を濡らすことが無いようにすることができる。
【００２２】
また、前記電極ケースの材質は帯電しにくいプラス電荷の高い樹脂材料としたものである。
【００２３】
これによって、特に乾燥する時期においても、安定してマイナスイオンを放出することができる。
【００２４】
【実施例】
以下、本発明の一実施例を図面に従って説明する。図１は本発明の一実施例の正面から見た内部構造図、図２は本発明の一実施例の電極ケース近傍の内部構造図、図３は本発明の一実施例の電極ケースの図である。尚、図１および図２における矢印は空気の流れを示す。ただし、後記気化フィルター１０の外形に接する二点鎖線の円周上に描かれた矢印は、後記気化フィルター１０が回転することを示すものである。
【００２５】
先ず、全体の構成を説明する。
図１において、１は加湿器の本体である。２は送風装置で、本体１の内部に設けられ、室内の空気を後記吸込口６から取り入れ後記吹出口７へ送風する。３はモーター、４はファン、５はケーシングで、これらにより送風装置２が構成される。送風装置２は、そのモーター３が駆動されてファン４が回転し、室内の空気を吸込口６から取り入れ、ケーシング５に沿って送風する。
【００２６】
６は吸込口で、本体１の側面に設けられ、室内の空気を取り入れる。吸込口６は、本実施例では本体１の側面に設けているが、本体１の上面または底面に設けてもよい。７は吹出口で、本体１の上面に設けられ、加湿した空気を室内へ送る。吹出口７は、本実施例では本体１の上面に設けているが、本体１の側面等に設けてもよい。
【００２７】
８はヒーターで、送風装置２から後記気化フィルター１０の間の後記風路９内に設けられ、送風装置２から送風される空気を加熱する。
【００２８】
９は風路で、本体１の内壁、送風装置２のケーシング５、後記水槽部１１等により構成され、送風装置２から吹出口７に至る空気の流路である。
【００２９】
１０は気化フィルターで、送風装置２から吹出口７に至る風路９内に設けられ、穴の開いたシート状の素材でプリーツ折りとし、吸水性を有している。気化フィルター１０は、ヒーター９より下流の風路９内に配され、図示していないモーターにより回転され、垂直方向になった時、一部が後記水槽部１１の水に漬かり、この水を吸い上げて湿潤する。
【００３０】
１１は水槽部で、本体１の内部に設けられ、気化フィルター１０に水を供給する。この水槽部１１は本体１の側面から横にスライドして着脱可能である。１２は給水用水タンクで、本体１の内部に配され、本体１から着脱可能であり、水槽部１１に設置され、水槽部１１の水を供給する。この給水用水タンク１２は、水槽部１１の水を一定水量に保持し、押圧によって開放する弁体を備えている。
【００３１】
１３は電極ケースで、送風装置２から吹出口７に至る風路９内に設けられ、後記電極１６を収納し、下面と電極１６の先端に対向した前面とに開口部１３ｅ、１３ｃ、１３ｄを設け、前面の開口部１３ｃ、１３ｄの上部をこの開口部１３ｃ、１３ｄより前方に張り出した庇状とし、且つ前面の開口部１３ｃ、１３ｄ側が水平より下方に傾斜して装着される（図２参照）。
【００３２】
電極ケース１３の詳細を図３に示す。図３に示すように、電極ケース１３はケース１３ａとカバー１３ｂの二部品から構成される。図３（ａ）は側面図であり、同（ｂ）は下面図であり、同（ｃ）は前面図である。
【００３３】
ケース１３ａは、電極ケース１３の上面、前面、側面を形成し、前面に開口部１３ｃ、１３ｄが設けられ、開口部１３ｃ、１３ｄの上部をこの開口部１３ｃ、１３ｄより前方に張り出した庇状としている。
【００３４】
カバー１３ｂは、ケース１３ａの下側に組み込まれ、電極ケース１３の下面を形成し、開口部１３ｅが設けられている。
【００３５】
本実施例においては、電極ケース１３の後記電極１６の先端に対向した前面には一箇所の略矩形の開口部１３ｃと三箇所の略円形の開口部１３ｄがあり、下面には三箇所の略矩形の開口部１３ｅがある。これら開口部１３ｃ、１３ｄ、１３ｅの形状や数は、電極ケース１３の取り付け位置、空気の流れの状態等の条件に合わせ適宜設定すればよい。ケース１３ａには後記電極１６が先端を前記開口部１３ｄに向けて取り付けられる。
【００３６】
このような構成により、送風装置２からの送風が電極ケース１３の下面の開口部１３ｅから内部に入り、後記電極１６の近傍を通り、前面の開口部１３ｃ、１３ｄを通り外部へ抜ける（図２参照）。
【００３７】
また、ケース１３ａおよびカバー１３ｂ、すなわち電極ケース１３の材質はポリブチレンテレフタレート（ＰＢＴ）樹脂等の帯電しにくいプラス電荷の高い樹脂材料としている。
【００３８】
１４は高電圧回路部で、マイナスイオンを発生するための高電圧を発生する。１５は高電圧端子で、高電圧回路部１４の出力端子である。１６は電極で、電極ケース１３に収納され、送風装置２から吹出口７に至る風路９内に配され、高電圧端子１５に接続され、高電圧が印加されることによりマイナスイオンを発生する。
【００３９】
次に、以上の構成において、通常時における全体の動作を説明する。
給水用水タンク１２を本体１から取り出して水を入れた後、本体１に収納する。すると、給水用水タンク１２は水槽部１１に設置され、給水用水タンク１２の弁体は押圧が掛かって開放され、給水用水タンク１２の水が水槽部１１に流れ出し、水槽部１１の水を一定水量とする。
【００４０】
運転を開始すると、気化フィルター１０はモーター（図示せず）により回転して垂直方向となり、一部が水槽部１１の水に漬かり、この水を吸い上げて湿潤する。送風装置２は、そのモーター３が駆動されてファン４が回転し、室内の空気を吸込口６から取り入れ、ケーシング５に沿って送風する。ヒーター８も駆動され、送風装置２から送風される空気を加熱する。
【００４１】
ヒーター８により加熱された温風は、湿潤した気化フィルター１０部を通過し、気化フィルター１０内の水の気化を促進させ、加湿された空気となり、吹出口７の方へ向かう。
【００４２】
一方、高電圧回路部１４で高電圧が発生され、高電圧端子１５を経由して電極１６に伝わり、高電圧が印加された電極１６からマイナスイオンが発生する。
【００４３】
吹出口７の方へ向った加湿された空気の一部は、直接吹出口７から室内に放出され、一部は電極ケース１３の下面の開口部１３ｅから電極ケース１３の内部に入り、電極１６から発生したマイナスイオンを伴い、電極ケース１３の電極１６の先端に対向した前面の開口部１３ｃ、１３ｄから出て、吹出口７へ向かう。そして、加湿された空気とマイナスイオンが吹出口７から室内に放出される。
【００４４】
次に、水滴落下時における作用を説明する。
給水用水タンク１２を本体１から取り出して水を入れた後、本体１に収納する際等に、吹出口７の上方で給水用水タンク１２に付着していた水滴が落下し、この水滴が吹出口７を通り、電極ケース１３の上部に落ちた場合、電極ケース１３は前面の開口部１３ｃ、１３ｄの上部をこの開口部１３ｃ、１３ｄより前方に張り出した庇状となっているので、前記水滴が直接電極ケース１３内に入ることはない。
【００４５】
また、電極ケース１３は前面の開口部１３ｃ、１３ｄ側が水平より下方に傾斜して装着されているので、前記水滴は電極ケース１３の上部の庇状部から下へ落下し、電極ケース１３の内部に侵入することがない。例え、前記水滴が電極ケース１３の内部に侵入しても、下側の開口部１３ｅまたは前面の開口部１３ｄから下へ落下する。
【００４６】
従って、電極１３は濡れることがなく、マイナスイオンの発生が阻害されることはない。尚、電極ケース１３の上部等から水滴が落下しても、この水滴は下方の水槽部１１に落ちるので問題は生じない。
【００４７】
上記の説明では、吹出口７を通り、電極ケース１３の上部に落ちる水滴が、給水用水タンク１２に付着していた水滴として説明したが、これに限らず、どのような水滴でも上記と同様の作用が奏され、問題は生じない。
【００４８】
次に、特に乾燥する時期における作用を説明する。
従来の加湿器では、特に乾燥する時期においては、電極ケース１３にプラスイオンが帯電し、発生したマイナスイオンを打ち消してしまうが、本実施例の電極ケース１３の材質はポリブチレンテレフタレート（ＰＢＴ）樹脂等のプラス電荷の高い樹脂材料とし、プラスイオンを帯電しにくくしているので、発生したマイナスイオンが打ち消されることがなく、安定してマイナスイオンが放出される。
【００４９】
この場合の全体の動作は、前述と同様のため割愛する。
【００５０】
【発明の効果】
以上述べたように、本発明の加湿器によれば、本体の上面または側面等に、室内の空気を取り入れる吸込口と、加湿した空気を室内へ送る吹出口とを備え、本体の内部に、室内の空気を吸込口から取り入れ吹出口へ送風する送風装置と、後記気化フィルターに水を供給する水槽部と、この水槽部の水を供給する給水用水タンクとを備え、送風装置から吹出口に至る風路内に、吸水性を有する気化フィルターと、マイナスイオンを発生する電極と、この電極を収納する電極ケースとを備えた加湿器において、前記電極ケースは、下面と電極の先端に対向した前面とに開口部を設け、前面の開口部の上部をこの開口部より前方に張り出した庇状とし、且つ前面の開口部側が水平より下方に傾斜して装着されるものである。
【００５１】
これによって、マイナスイオンを充分供給し、同時にマイナスイオンを発生する電極を外力から保護し、さらに水滴が上方から落下しても電極を濡らすことが無いようにすることができるという効果を奏する。
【００５２】
また、前記電極ケースの材質は帯電しにくいプラス電荷の高い樹脂材料としたものである。
【００５３】
これによって、特に乾燥する時期においても、安定してマイナスイオンを放出することができるという効果を奏する。
【図面の簡単な説明】
【図１】本発明の一実施例の正面から見た内部構造図である。
【図２】本発明の一実施例の電極ケース近傍の内部構造図である。
【図３】本発明の一実施例の電極ケースの図である。
【図４】従来の加湿器の正面から見た内部構造図である。
【図５】従来の加湿器の電極ケースの図である。
【符号の説明】
１  本体
２  送風装置
６  吸込口
７  吹出口
９  風路
１０  気化フィルター
１１  水槽部
１２  給水用タンク
１３  電極ケース
１３ｃ、１３ｄ、１３ｅ  開口部
１６  電極
【図１】
2004156856.tif 000003
【図２】
2004156856.tif 000004
【図３】
2004156856.tif 000005
【図４】
2004156856.tif 000006
【図５】
2004156856.tif 000007